(57)【要約】  円管を用いた空気熱交換器と同様の熱交換性能を有する空気熱交換器を用いても、筺体そのものの大きさを変えることなく機械室の空間を広くとることができる冷凍サイクル装置を得る。  上側に送風機室２および下側に機械室３を有する筐体１と、少なくとも、冷媒を圧縮する圧縮機、冷媒を空気で熱交換する空気熱交換器５、冷媒量を調節する膨張弁、水を冷媒で熱交換し、水を冷却または加熱する水熱交換器７、８および余剰冷媒を溜めるレシーバタンクが冷媒配管により接続された冷媒回路とを備え、送風機室２には、鉛直線方向と直交する方向にファンの回転軸が向けられた送風機６および当該送風機の吸引側に配置された空気熱交換器５が設けられ、機械室３には、圧縮機、水熱交換器７、８、膨張弁、レシーバタンクおよび水熱交換器７、８が接続された水配管９、１０が設けられ、空気熱交換器５に扁平管を用いた。
2015189948.tif 000002
【特許請求の範囲】
【請求項１】
上側に送風機室および下側に機械室を有する筐体と、
少なくとも、冷媒を圧縮する圧縮機、冷媒を空気で熱交換する空気熱交換器、冷媒量を調節する膨張弁、水を冷媒で熱交換し、水を冷却または加熱する水熱交換器および余剰冷媒を溜めるレシーバタンクが冷媒配管により接続された冷媒回路とを備え、
前記送風機室には、鉛直線方向と直交する方向にファンの回転軸が向けられた送風機および当該送風機の吸引側に配置された前記空気熱交換器が設けられ、
前記機械室には、前記圧縮機、前記水熱交換器、前記膨張弁、前記レシーバタンクおよび前記水熱交換器が接続された水配管が設けられ、
前記空気熱交換器に扁平管を用いた冷凍サイクル装置。
【請求項２】
前記筐体内に前記冷媒回路を２つ備えて１つのユニットとする請求項１記載の冷凍サイクル装置。
【請求項３】
前記機械室内に温水循環用の水配管と冷水循環用の水配管とが設けられ、
前記冷媒回路のうち一方の冷媒回路の水熱交換器に前記温水循環用の水配管が接続され、もう一方の冷媒回路の水熱交換器に前記冷水循環用の水配管が接続された請求項２記載の冷凍サイクル装置。
【請求項４】
前記水配管の両端に管継ぎ手部が設けられた請求項１〜３の何れか１項に記載の冷凍サイクル装置。
【発明の詳細な説明】
【技術分野】
【０００１】
本発明は、冷水と温水あるいは何れか一方を生成する冷凍サイクル装置に関するものである。
【背景技術】
【０００２】
前述の冷凍サイクル装置は、水熱交換器と空気熱交換器を有する冷媒回路から構成され、大部分の空気熱交換器に円管が用いられている。また、従来の冷凍サイクル装置として、水熱交換器を有する高温側冷凍回路と空気熱交換器を有する低温側冷凍回路とからなる二元冷凍サイクルを複数備えたものがある（例えば、特許文献１参照）。
【先行技術文献】
【特許文献】
【０００３】
【特許文献１】特開２０１２−２５１７１５号公報（要約）
【発明の概要】
【発明が解決しようとする課題】
【０００４】
前述した特許文献１に記載の冷凍サイクル装置は、機械室内に冷媒回路の空気熱交換器を除く各部品がまとまった位置に設置されていて、保守点検を容易に行えるようになっているが、空気熱交換器に円管を用いた場合は、機械室が小さくなり、機械室内に冷水あるいは温水の何れか一方の水配管（２本）しか設けることができなかった。【０００５】
本発明は、前記のような課題を解決するためになされたもので、円管を用いた空気熱交換器と同様の熱交換性能を有する空気熱交換器を用いても、筐体そのものの大きさを変えることなく機械室の空間を広くとることができる冷凍サイクル装置を得ることを目的とする。
【課題を解決するための手段】
【０００６】
本発明に係る冷凍サイクル装置は、上側に送風機室および下側に機械室を有する筐体と、少なくとも、冷媒を圧縮する圧縮機、冷媒を空気で熱交換する空気熱交換器、冷媒量を調節する膨張弁、水を冷媒で熱交換し、水を冷却または加熱する水熱交換器および余剰冷媒を溜めるレシーバタンクが冷媒配管により接続された冷媒回路とを備え、送風機室には、鉛直線方向と直交する方向にファンの回転軸が向けられた送風機および当該送風機の吸引側に配置された空気熱交換器が設けられ、機械室には、圧縮機、水熱交換器、膨張弁、レシーバタンクおよび水熱交換器が接続された水配管が設けられ、空気熱交換器に扁平管を用いたものである。
【発明の効果】
【０００７】
本発明によれば、空気熱交換器に扁平管を用いているので、その空気熱交換器と同様の熱交換性能を有する円管の空気熱交換器と比べ、扁平管を用いた空気熱交換器の容積を小さくすることができる。これにより、送風機室を小さくでき、これに伴って機械室の空間を広くとることができるので、機械室内における水配管まわりのサービススペースを大きくとることができ、冷媒回路の保守作業などを容易にできる。【０００８】
また、空気熱交換器の容積が小さくなることで、冷媒回路に使用する冷媒量を削減できるので、余剰冷媒を溜めるレシーバタンクに容量の小さいレシーバタンクを使用できる。
【図面の簡単な説明】
【０００９】
【図１】実施の形態１に係る冷凍サイクル装置を備えた空冷チラーユニットを模式的に示す斜視図。
【図２】図１の機械室に配置された水熱交換器と水配管の接続例を示す図。
【図３】実施の形態２に係る冷凍サイクル装置を備えた空冷チラーユニットを模式的に示す斜視図。
【図４】図３の機械室に配置された水熱交換器と水配管の接続例を示す図。
【発明を実施するための形態】
【００１０】
実施の形態１．
図１は実施の形態１に係る冷凍サイクル装置を備えた空冷チラーユニットを模式的に示す斜視図、図２は図１の機械室に配置された水熱交換器と水配管の接続例を示す図である。
図１に示す空冷チラーユニット５０は、例えばビル、工場などの大型施設の空調熱源として使用され、空調負荷に応じて複数連結される。この空冷チラーユニット５０は、冷凍サイクル装置を構成する２つの冷媒回路が筐体１の中に収容されて１つのユニットとなっている。
【００１１】
冷媒回路は、低温低圧のガス冷媒を圧縮し高温高圧のガス冷媒を吐出する圧縮機、運転（冷房又は暖房）に応じて高温高圧のガス冷媒の流れを切り替える四方弁、冷媒を空気で熱交換する空気熱交換器５、冷媒量を調節する膨張弁、水を冷媒で熱交換し、水を冷却または加熱する水熱交換器７（８）、余剰冷媒を溜めるレシーバタンクなどが冷媒配管７ａ（８ａ）により接続されて構成されている。なお、空気熱交換器５は、後述するが、冷媒回路毎に３つ連結して構成されている。
【００１２】
筐体１は、設置面に対して横方向に長い直方体状に形成され、ドレンパン４によって上側が送風機室２、下側が機械室３として分けられている。この筐体１の送風機室２の前面は、ファンガードを有する前面パネルによって覆われており、送風機室２の上面は、上面パネルによって覆われている。また、送風機室２の両側面および背面は開放されている。機械室３の前面は、取り外し自在に取り付けられた前面パネルにより覆われており、機械室３の背面は背面パネルによって覆われている。また、機械室３の両側面は開放されている。
【００１３】
送風機室２には、鉛直線方向と直交する方向にファンの回転軸が向けられた６台の送風機６が上下に２台ずつ３列設けられ、また、上下２台ずつの送風機６の吸引側にそれぞれ配置された空気熱交換器５が設置されている。
【００１４】
この空気熱交換器５は、送風機室２を上方から見て、送風機６側が開放されたコの字状に形成され、上下に２分割されている。本実施の形態においては、水熱交換器７を有する冷媒回路には、例えば、送風機６側から見て左端の上下２つの空気熱交換器５と中央の上下２つのうち下側の空気熱交換器５とが直列に接続された状態で用いれている。また、水熱交換器８を有する冷媒回路には、残り３つの空気熱交換器５が直列に接続された状態で用いられている。これらの空気熱交換器５には、冷媒の流路に扁平管が使用されている。
【００１５】
機械室３には、冷媒回路の空気熱交換器５を除く各部品が収容されている。つまり、機械室３には、水熱交換器７を有する冷媒回路の各部品（圧縮機、四方弁、膨張弁、水熱交換器７およびレシーバタンク）と、水熱交換器７を有する冷媒回路の各部品（圧縮機、四方弁、膨張弁、水熱交換器８およびレシーバタンク）とが設置されている。
【００１６】
機械室３には、流入側の水配管９と流出側の水配管１０とが設けられている。この２本の水配管９、１０の両端には、図２に示すように、本実施の形態と同様の空冷チラーユニット５０の水配管９、１０と接続するための管継ぎ手部９ａ、１０ａが設けられている。この管継ぎ手部９ａ、１０ａは、ボルトによって接続される。
【００１７】
前記のように構成された空冷チラーユニット５０においては、冷房運転のときに、空気熱交換器５が凝縮器として作用し、水熱交換器７、８が蒸発器として作用する。暖房運転のときには、空気熱交換器５が蒸発器として作用し、水熱交換器７、８が凝縮器として作用する。
【００１８】
本実施の形態においては、空気熱交換器５に扁平管を用いることで、円管を使用した空気熱交換器と比べ、熱交換性能を約３０％向上させることができる。このため、同等の性能比であれば、扁平管を用いた空気熱交換器５の容積を約３０％小さくすることができる。これにより、送風機室２を小さくでき、これに伴って機械室３の空間を広くとることができるので、機械室３内における水配管９、１０まわりのサービススペースを大きくとることができ、冷媒回路の保守作業などを容易にできる。
【００１９】
また、空気熱交換器５の容積が小さくなることで、空冷チラーユニット５０の冷媒回路に使用する冷媒量を削減できるので、余剰冷媒を溜めるレシーバタンクに容量の小さいレシーバタンクを使用できる。
【００２０】
実施の形態２．
図３は実施の形態２に係る冷凍サイクル装置を備えた空冷チラーユニットを模式的に示す斜視図、図４は図３の機械室に配置された水熱交換器と水配管の接続例を示す図である。なお、実施の形態１と同様あるいは相当部分には同じ符号を付している。
【００２１】
本実施の形態においては、空気熱交換器５に扁平管を使用し、冷房運転と暖房運転を同時に行えるようにしている。つまり、扁平管を使用した空気熱交換器を用いることで、前述のように機械室３の空間を広くとることができるので、例えば、温水循環用の水配管１１、１２と冷水循環用の水配管１３、１４とを機械室３内に設けることが可能になる。この場合、冷媒回路の水熱交換器７を冷水循環用の水配管１３、１４に接続し、もう一方の冷媒回路の水熱交換器８を温水循環用の水配管１１、１２に接続する。
【００２２】
空調負荷に応じて空冷チラーユニット５０を連結する場合には、図４に示すように、水配管１１、１２、１３、１４の各両端に設けられた管継ぎ手部と、同一の空冷チラーユニット５０の水配管１１、１２、１３、１４の各両端に設けられた管継ぎ手部とを対向させてボルトで接続する。
【００２３】
運転時には、水熱交換器７側の空気熱交換器５が凝縮器として作用し、その水熱交換器７が蒸発器として作用し、冷水循環用の水配管１４内の水を冷水とする。また、水熱交換器８側の空気熱交換器５が蒸発器として作用し、その水熱交換器７が凝縮器として作用し、温水循環用の水配管１２内の水を温水とする。
【００２４】
４本の水配管１１、１２、１３、１４が機械室３内に設けられるのは、前述したように、（１）扁平管を用いた空気熱交換器５の容積を、円管を使用した空気熱交換器よりも約３０％小さくなって、機械室３の空間を広くとることができることと、（２）空気熱交換器５の容量が小さくなることで、１ユニット（空冷チラーユニット５０）の冷媒量を削減でき、余剰冷媒を溜めるレシーバタンクの容量を小さくすることが可能であるからである。
また、機械室３を大きくすることで、２つの水熱交換器７、８の容量を増加させることができる。
【符号の説明】
【００２５】
１  筐体、２  送風機室、３  機械室、４  ドレンパン、５  空気熱交換器、６  送風機、７、８  水熱交換器、７ａ、８ａ  冷媒配管、９、１０  水配管、９ａ、１０ａ  管継ぎ手部、１１、１２  温水循環用の水配管、１１ａ、１２ａ  管継ぎ手部、１３、１４  冷水循環用の水配管、１３ａ、１４ａ  管継ぎ手部、５０  空冷チラーユニット。
【図１】
2015189948.tif 000003
【図２】
2015189948.tif 000004
【図３】
2015189948.tif 000005
【図４】
2015189948.tif 000006
【手続補正書】
【提出日】平成28年8月23日(2016.8.23)
【手続補正１】
【補正対象書類名】明細書
【補正対象項目名】０００６
【補正方法】変更
【補正の内容】
【０００６】
本発明に係る冷凍サイクル装置は、上側に送風機室および下側に機械室を有する筐体と、少なくとも、冷媒を圧縮する圧縮機、冷媒を空気で熱交換する空気熱交換器、冷媒量を調節する膨張弁、水を冷媒で熱交換し、水を冷却または加熱する水熱交換器および余剰冷媒を溜めるレシーバタンクが冷媒配管により接続された冷媒回路とを備え、送風機室には、鉛直線方向と直交する方向にファンの回転軸が向けられた送風機および当該送風機の吸引側に配置された空気熱交換器が設けられ、機械室には、圧縮機、水熱交換器、膨張弁、レシーバタンクおよび水熱交換器が接続された水配管が設けられ、水配管は、水が流入する流入配管と、水が流出する流出配管と、を含み、水熱交換器は、流入配管及び流出配管と、互いに並列に接続された第１水熱交換器及び第２水熱交換器と、を含んでいる。
【手続補正２】
【補正対象書類名】特許請求の範囲
【補正対象項目名】全文
【補正方法】変更
【補正の内容】
【特許請求の範囲】
【請求項１】
上側に送風機室および下側に機械室を有する筐体と、
少なくとも、冷媒を圧縮する圧縮機、冷媒を空気で熱交換する空気熱交換器、冷媒量を調節する膨張弁、水を冷媒で熱交換し、水を冷却または加熱する水熱交換器および余剰冷媒を溜めるレシーバタンクが冷媒配管により接続された冷媒回路とを備え、
前記送風機室には、鉛直線方向と直交する方向にファンの回転軸が向けられた送風機および当該送風機の吸引側に配置された前記空気熱交換器が設けられ、
前記機械室には、前記圧縮機、前記水熱交換器、前記膨張弁、前記レシーバタンクおよび前記水熱交換器が接続された水配管が設けられ、
前記水配管は、水が流入する流入配管と、水が流出する流出配管と、を含み、
前記水熱交換器は、前記流入配管及び前記流出配管と、互いに並列に接続された第１水熱交換器及び第２水熱交換器と、を含んでいる冷凍サイクル装置。
【請求項２】
前記筐体内に前記冷媒回路を２つ備えて１つのユニットとする請求項１記載の冷凍サイクル装置。
【請求項３】
前記水配管の両端に管継ぎ手部が設けられた請求項１又は２記載の冷凍サイクル装置。
【国際調査報告】
2015189948.tif 000007
2015189948.tif 000008
2015189948.tif 000009
2015189948.tif 000010